(57)【要約】【課題】車の窓の内側から貼ることができ、不要なときには取り外すことによって、繰り返して使用できる遮熱シートを提供する。【解決手段】車の窓の内側に剥離可能に貼付する遮熱シート１であって、補強膜１１と、補強膜１１の上に設けられた断熱膜１２と、断熱膜１２の上に設けられ、光を反射する反射膜１３と、反射膜１３の上に設けられ、光を透過する透明膜１４と、透明膜１４の上に設けられ、貼付した後に剥離可能な粘着層１５と、を備える。【選択図】図１
2007007908.tif 000002
【特許請求の範囲】
【請求項１】
車の窓の内側に剥離可能に貼付する遮熱シートであって、
補強膜と、
前記補強膜の上に設けられた、光を反射する反射膜と、
当該反射膜の上に設けられた、前記窓の内側に密着可能であり、貼付した後に剥離可能な密着層と、を備えた遮熱シート。
【請求項２】
前記反射膜の下に断熱膜をさらに備えた請求項１記載の遮熱シート。
【請求項３】
前記反射膜の上に設けられた、光を透過する透明膜をさらに備え、
前記密着層は、当該透明膜の上に設けられている、請求項１または請求項２記載の遮熱シート。
【請求項４】
前記密着層は、前記窓の内側に粘着する粘着層である、請求項３記載の遮熱シート。
【請求項５】
前記密着層は、平滑面に密着して貼り付き、剥離可能な透明のシートである、請求項１から請求項３のいずれか記載の遮熱シート。
【請求項６】
車のフロントガラスの内側に剥離可能に貼付する請求項１から請求項５のいずれか記載の遮熱シートであって、
バックミラーの前方のフロントガラスの領域に遮熱シートを貼付するための切り込みが設けられた遮熱シート。
【請求項７】
前記遮熱シートの前記密着層と反対側の面に、貼付した後に剥離可能な第２の粘着層をさらに備えた請求項１から請求項６のいずれか記載の遮熱シート。
【請求項８】
熱を遮断する遮熱シートであって、
補強膜と、
前記補強膜の上に設けられた、光を反射する反射膜と、
当該反射膜の上に設けられた、光を透過する透明膜と、
前記遮熱シートの前記透明膜と反対側の面に設けられた、貼付した後に剥離可能な粘着層と、を備えた遮熱シート。
【請求項９】
前記反射膜の下に断熱膜をさらに備えた請求項８記載の遮熱シート。
【請求項１０】
前記反射膜は、アルミニウム箔、またはアルミニウムの蒸着された膜である、請求項１から請求項９のいずれか記載の遮熱シート。
【発明の詳細な説明】
【技術分野】
【０００１】
本発明は、例えば車などに貼付される遮熱シートに関する。
【背景技術】
【０００２】
従来、建物や冷凍車などの保冷性を高めるための遮熱シートが開発されている（例えば、特許文献１参照）。また、駐車中の車において、車内の温度上昇を防止するなどのために、フロントガラスから車内に入射する日光を遮蔽するための日除けが開発されている（例えば、特許文献２参照）。
【特許文献１】特開２００２−１２６７９号公報（第１頁、第１図等）
【特許文献２】特開平１１−５９１７５号公報（第１頁、第１図等）
【発明の開示】
【発明が解決しようとする課題】
【０００３】
従来の遮熱シートは、遮熱したいものに対して接着剤等で貼り付けてしまうため、遮熱をしなくてもよいときであっても容易に取り外すことができず、また、その遮熱シートを繰り返して貼付することができないという問題があった。
【０００４】
一方、車のフロントガラス等における日除けでは、フロントガラスと日除けとの間に隙間があるため、日光によって日除け自体、あるいは、日除けとフロントガラスとの間の空気が加熱されることになり、効率的な遮熱ができないという問題があった。
【０００５】
本発明は、上記問題点を解決するためになされたものであって、その一の目的は、繰り返して使用できる遮熱シートを提供することである。
また、他の目的は、車のフロントガラス等において、効果的な遮熱を行うことができる遮熱シートを提供することである。
【課題を解決するための手段】
【０００６】
上記目的を達成するため、本発明による遮熱シートは、車の窓の内側に剥離可能に貼付する遮熱シートであって、補強膜と、前記補強膜の上に設けられた、光を反射する反射膜と、当該反射膜の上に設けられた、前記窓の内側に密着可能であり、貼付した後に剥離可能な密着層と、を備えたものである。
【０００７】
このような構成により、遮熱シートを、車の窓の内側に必要なときにだけ貼ることができ、繰り返して遮熱シートを用いることができる。また、遮熱シートを車の窓の内側に貼付するため、遮熱シートと窓ガラスとの間に隙間ができにくい。したがって、車の窓を通して入射した直射日光を反射膜によって効果的に反射することによって、高い遮熱効果が得られる。また、車の内側から遮熱シートを貼るため、遮熱シートの盗難を防止できる。
【０００８】
また、本発明による遮熱シートでは、前記反射膜の下に断熱膜をさらに備え手もよい。
このような構成により、その断熱膜により、車の窓を介して熱が車内にはいることを効果的に防止することができうる。
【０００９】
また、本発明による遮熱シートでは、前記反射膜の上に設けられた、光を透過する透明膜をさらに備え、前記密着層は、当該透明膜の上に設けられていてもよい。
このような構成により、透明膜の上に密着層を設けることができ、例えば、密着層が、窓の内側に粘着する粘着層である場合などに、粘着層によって反射膜が剥がれる事態を回避することができうる。
【００１０】
また、本発明による遮熱シートでは、前記密着層は、平滑面に密着して貼り付き、剥離可能な透明のシートであってもよい。
このような構成により、繰り返して遮熱シートを窓に貼ることができ、かつ、粘着層を用いていないため、窓に貼っていないときにゴミ等が密着層に付着することを防止することができうる。
【００１１】
また、本発明による遮熱シートでは、車のフロントガラスの内側に剥離可能に貼付する遮熱シートであって、バックミラーの前方のフロントガラスの領域に遮熱シートを貼付するための切り込みが設けられてもよい。
【００１２】
このような構成により、バックミラーの前方のフロントガラスの領域にも遮熱シートを貼ることができ、フロントガラスのより広い領域に遮熱シートを貼ることができうる。その結果、車内の温度上昇を効果的に抑えることができうる。
【００１３】
また、本発明による遮熱シートでは、前記遮熱シートの前記粘着層と反対側の面に、貼付した後に剥離可能な第２の粘着層をさらに備えてもよい。
このような構成により、遮熱シートを車の窓に使用しない場合に、例えば、犬小屋や物置などのように、その他のものの遮熱のために用いることができる。そのための第２の粘着層が存在することによって、遮熱シートを犬小屋などに用いている場合に、遮熱シートが風に飛ばされたり、振動等によってずれたりすることを防止することができる。
【００１４】
本発明による遮熱シートは、熱を遮断する遮熱シートであって、補強膜と、前記補強膜の上に設けられた、光を反射する反射膜と、当該反射膜の上に設けられた、光を透過する透明膜と、前記遮熱シートの前記透明膜と反対側の面に設けられた、貼付した後に剥離可能な粘着層と、を備えたものである。
【００１５】
このような構成により、繰り返して遮熱シートを用いることができる。すなわち、必要なときには遮熱シートを所望の位置に貼付することができ、必要ない場合には、その遮熱シートを容易に剥がすことができる。
【００１６】
また、本発明による遮熱シートでは、前記反射膜が、アルミニウム箔、またはアルミニウムの蒸着された膜であってもよい。
このような構成により、低いコストで、高い効果を得られる反射膜を構成することができうる。
【発明の効果】
【００１７】
本発明による遮熱シートによれば、貼付した後に剥離可能な粘着層を備えたことにより、繰り返して用いることができ、必要なときに必要な場所で用いることができうる。また、本発明による遮熱シートによれば、反射膜の上に透明膜を設け、その透明膜の上に、貼付した後に剥離可能な粘着層を備えたことによって、その遮熱シートを車のフロントガラス等の内側から貼った場合に、フロントガラス等と遮熱シートとの間に隙間ができず、効果的な遮熱を行うことができる。
【発明を実施するための最良の形態】
【００１８】
以下、本発明による遮熱シートについて、実施の形態を用いて説明する。なお、以下の実施の形態において、同じ符号を付した構成要素は同一または相当するものであり、再度の説明を省略することがある。
【００１９】
（実施の形態１）
本発明の実施の形態１による遮熱シートについて、図面を参照しながら説明する。
図１は、本実施の形態による遮熱シートの構成を示す図である。図１において、遮熱シート１は、補強膜１１と、補強膜１１の上に設けられた断熱膜１２と、断熱膜１２の上に設けられた反射膜１３と、反射膜１３の上に設けられた透明膜１４と、透明膜１４の上に設けられた粘着層１５とを備える。ここで、「上」とは、遮熱シート１を貼付した場合において、上となる側、すなわち、太陽に近い側である。
【００２０】
補強膜１１は、遮熱シート１を補強することによって、遮熱シート１が裂けることを防止したり、遮熱シート１が平面の形状を保つことができるようにしたりするためのものである。補強膜１１としては、例えば、織物やメッシュ状のシートなどを用いることができる。
【００２１】
断熱膜１２は、断熱性を有する膜であり、例えば、発泡シートや気泡シート等、断熱性を有する膜であれば、どのようなものであってもよい。断熱膜１２の断熱効果によって、より効果的に遮熱を行うことができうる。
【００２２】
反射膜１３は、光を反射する膜であり、例えば、反射性を有する金属によって形成されるもの（例えば、金属箔や、金属の蒸着膜など）である。反射膜１３が透明膜１４側から入射した日光等を反射することにより、遮熱シート１は、遮熱効果を奏することになる。その金属は、例えば、アルミニウムや金、銀、ニッケル、亜鉛などである。コストなどの面から、アルミニウム箔や、アルミニウムの蒸着膜を用いることが好ましい。また、反射膜１３としては、反射率の高いものを用いることが好ましい。それだけ、遮熱効果が高くなるからである。被蒸着膜は、例えば、樹脂等の膜であってもよく、透明膜１４であってもよい。
【００２３】
透明膜１４は、光を透過する膜であり、反射膜１３を保護するために設けられた膜である。透明膜１４は、例えば、樹脂製の膜であり、光の透過率が高い方が好ましい。透明膜１４において光を吸収すると、それだけ遮熱効果が低下するからである。透明膜１４として、例えば、ＰＰ（ポリプロピレン）フィルム、ＰＥＴ（ポリエチレンテレフタレート）フィルム、塩化ビニルフィルム、アクリルフィルム、フッ素フィルムを用いてもよい。
【００２４】
粘着層１５は、貼付した後に剥離可能な粘着性のものである。粘着層１５は、例えば、アクリル系再剥離用接着剤や、ウレタン系再剥離用接着剤などを用いてもよい。遮熱シート１を貼付するまでは、粘着層１５が他のものに貼着しないように、粘着層１５に剥離紙をつけてもよい。また、粘着層１５は、透明度の高いものであることが好ましい。
【００２５】
なお、補強膜１１、断熱膜１２、反射膜１３、透明膜１４は、それぞれ、接着剤等によって互いに貼着されているものとする。なお、補強膜１１等の全面が貼着されていてもよく、あるいは、補強膜１１等の一部（例えば、補強膜１１の周囲など）だけが貼着されていてもよい。また、加熱したり、加圧したりすることによって、それらの膜を互いに貼着してもよい。また、接着剤としては、例えば、アクリル系やウレタン系の接着剤を用いてもよい。
【００２６】
図２は、遮熱シート１を車の窓の内側、特にフロントガラス２の内側に貼付した状態を示す図である。図２で示されるように、遮熱シート１をフロントガラス２よりも少しだけ小さくカットし、粘着層１５をフロントガラス２側にして遮熱シート１をフロントガラス２に貼り付ける。ここで、遮熱シート１は、その表面の全面においてフロントガラス２と密着していることが好ましい。すなわち、粘着層１５は、全面においてフロントガラス２に密着可能なものであることが好ましい。なお、遮熱シート１は、その一部（例えば、遮熱シート１の周囲など）においてフロントガラス２に張り付いていてもよい。
【００２７】
図３は、遮熱シート１の効果について説明するための図である。フロントガラス２に遮熱シート１が貼付されることによって、太陽からの直射日光がフロントガラス２を通して車内に入射しても、そのほとんどが遮熱シート１の反射膜１３によって反射されることになる。また、炎天下において車外の温度が上昇したとしても、遮熱シート１の断熱膜１２によって、断熱を行うことができ、フロントガラス２を通して熱が車内にはいることを防止することができる。このように、フロントガラス２に遮熱シート１を貼付することによって車内の温度上昇を防止することができ、遮熱効果を得ることができる。また、遮熱シート１を車の内側から貼付することによって、遮熱シート１の盗難を防止することもできる。
【００２８】
なお、図４で示されるように、遮熱シート１は、遮熱シート１の粘着層１５と反対側の面に、貼付した後に剥離可能な第２の粘着層１６をさらに備えてもよい。このようにすることで、この遮熱シート１を、図２のように、車の窓の内側に貼ることもでき、また、図５で示されるように、犬小屋３の屋根４に貼ることもできる。なお、犬小屋３の屋根４に貼る場合には、第２の粘着層１６が屋根４側となり、粘着層１５側が上側、すなわち、太陽に近い側となるようにする。例えば、車を自宅の駐車場に停めておく場合には駐めておく場合には、フロントガラス２の内側に遮熱シート１を貼っておき、車で出かけるため、遮熱シート１が必要ない場合には、その遮熱シート１を剥がして犬小屋３の屋根４に貼るようにしてもよい。
【００２９】
ここで、遮熱シート１を粘着層１５によって貼付している場合に、第２の粘着層１６にゴミ等が付着しないように、第２の粘着層１６に剥離紙を貼ってもよい。また、遮熱シート１を第２の粘着層１６によって貼付している場合に、粘着層１５にゴミ等が付着しないように、粘着層１５に剥離可能なシートを貼ってもよい。なお、粘着層１５に貼る剥離可能なシートは透明度の高いものであることが好ましい。
【００３０】
第２の粘着層１６によって遮熱シート１を貼付する対象は、犬小屋３の屋根４に限定されないことは言うまでもない。例えば、物置の屋根に貼ってもよく、炎天下におかれているクーラーボックスなどを覆うように貼ってもよい。
【００３１】
また、図６で示されるように、遮熱シート１は、第２の粘着層１６を備え、粘着層１５を備えない構成であってもよい。すなわち、熱を遮断する遮熱シート１は、補強膜１１と、補強膜１１の上に設けられた断熱膜１２と、断熱膜１２の上に設けられた反射膜１３と、反射膜１３の上に設けられた透明膜１４と、遮熱シート１の透明膜１５と反対側の面に設けられた、貼付した後に剥離可能な第２の粘着層１６と、を備えたものであってもよい。この遮熱シート１は、犬小屋３の屋根４や、物置の屋根等に容易に貼付し、剥がすことができる。したがって、雨天時には剥がしておくことによって、遮熱シート１が汚れることを防止することができ、また、炎天下では、貼付しておくことによって、犬小屋３や物置などを遮熱することができうる。
【００３２】
また、車のフロントガラス２等に複数の遮熱シート１を貼付してもよい。例えば、図７で示されるように、３枚の遮熱シート１を貼付するようにしてもよい。このようにすることで、遮熱シート１をフロントガラス２に貼る作業を容易にすることができる。
【００３３】
また、上記説明では、遮熱シート１を車のフロントガラス２の内側に貼る場合について説明したが、遮熱シート１を貼付する車の窓は、フロントガラス２に限定されず、車のリアウィンドーや、サイドウィンドー、車の天井に設けられたガラス窓等であってもよい。また、車は、セダンやワゴンのような乗用車であってもよく、トラックやバス等であってもよく、限定されない。
【００３４】
また、本実施の形態では、遮熱シート１の構成が図１，図４，図６で示されるものであると説明したが、それに限定されない。例えば、遮熱シート１は、断熱膜１２を備えなくてもよい。また、断熱膜１２は、反射膜１３の下に設けられているのであれば、補強膜１１の上に設けられていてもよく、あるいは、補強膜１１の下に設けられていてもよい。
【００３５】
また、本実施の形態では、遮熱シート１が粘着層１５を備える場合について説明したが、粘着層１５に代えて、リタックス（例えば、東亜合成株式会社製の軟質塩化ビニルのノンタックフィルムなど）のようなフロントガラス２等の平滑面に密着して貼り付き、容易に剥離可能な透明シートの層を設けてもよい。すなわち、透明膜１４の上に、窓の内側に密着可能であり、貼付した後に剥離可能な密着層を設けてもよい。密着層は、前述のように、粘着層１５であってもよく、リタックスのようなシートであってもよい。リタックスなどの透明シートは、透明度が高いことが好ましい。なお、密着層がリタックスのようなシートである場合には、遮熱シート１は、透明膜１４を備えなくてもよい。すなわち、反射膜１３の上にリタックスなどの密着層が設けられてもよい。透明膜１４を備えない場合であって、反射膜１３を蒸着によって設ける場合には、リタックス等の密着層のシートが被蒸着膜であってもよい。
【００３６】
また、本実施の形態では、図２で示されるように、バックミラー５の領域には遮熱シート１が存在しない場合について説明したが、バックミラー５の前方のフロントガラス２の領域にも遮熱シート１を貼付するようにしてもよい。その場合には、バックミラー５の前方のフロントガラス２の領域に遮熱シート１を貼付するための切り込みが遮熱シート１に設けられてもよい。ここで、「バックミラー５の前方」とは、バックミラー５に対して車の進行方向側である。また、「バックミラー５の前方のフロントガラス２の領域」とは、バックミラー５が存在することによって遮熱シート１をフロントガラス２に貼付することが困難である領域であり、例えば、図２における、バックミラー５の裏側のフロントガラス２の領域であって、遮熱シート１が凹形状にえぐれている領域である。切り込みの形状は、バックミラー５の前方のフロントガラス２の領域にも遮熱シート１を貼り付けることができるものであれば問わない。例えば、図８で示される切り込み６のようであってもよく、あるいは、図９で示される切り込み７のようであってもよい。遮熱シート１に切り込みが設けられることによって、図１０で示されるように、バックミラー５の前方のフロントガラス２の領域にも遮熱シート１を貼付することができ、遮熱効果を高めることができうる。
また、本発明は、以上の実施の形態に限定されることなく、種々の変更が可能であり、それらも本発明の範囲内に包含されるものであることは言うまでもない。
【産業上の利用可能性】
【００３７】
以上のように、本発明による遮熱シートは、例えば車の内側等に貼ることによって遮熱効果を得ることができるものであり、車等に貼付する遮熱シートとして有用である。
【図面の簡単な説明】
【００３８】
【図１】本発明の実施の形態１による遮熱シートの構成を示す図
【図２】同実施の形態における遮熱シートの貼付されたフロントガラスを示す模式図
【図３】同実施の形態における遮熱シートの効果について説明するための図
【図４】同実施の形態による遮熱シートの構成を示す図
【図５】同実施の形態における遮熱シートの使用方法の一例を説明するための図
【図６】同実施の形態による遮熱シートの構成を示す図
【図７】同実施の形態における遮熱シートの貼付されたフロントガラスを示す模式図
【図８】同実施の形態における切り込みの設けられた遮熱シートの一例を示す図
【図９】同実施の形態における切り込みの設けられた遮熱シートの一例を示す図
【図１０】同実施の形態における遮熱シートの貼付されたフロントガラスを示す模式図
【符号の説明】
【００３９】
１  遮熱シート
２  フロントガラス
３  犬小屋
４  屋根
５  バックミラー
６、７  切り込み
１１  補強膜
１２  断熱膜
１３  反射膜
１４  透明膜
１５  粘着層
１６  第２の粘着層
【図１】
2007007908.tif 000003
【図２】
2007007908.tif 000004
【図３】
2007007908.tif 000005
【図４】
2007007908.tif 000006
【図５】
2007007908.tif 000007
【図６】
2007007908.tif 000008
【図７】
2007007908.tif 000009
【図８】
2007007908.tif 000010
【図９】
2007007908.tif 000011
【図１０】
2007007908.tif 000012